(57)【要約】【課題】ケース本体の開口部を蓋体にて閉塞するように構成された高周波機器収納ケースにおいて、開口部がいたずらなどで不正に開かれるのを防止する。【解決手段】蓋体６をケース本体４に固定するための固定具８は、ケース本体４及び蓋体６に固定された第１部材２０及び第２部材３０と、これら各部を連結する有頭ねじ１０とから構成され、有頭ねじ１０の頭部１４には、専用の特殊工具を嵌合可能な凹部１６が形成されている。第１部材２０は、ケース本体４に揺動可能に取り付けられており、第２部材３０には、第１部材２０を揺動させて有頭ねじ１０を固定位置まで変位させるための切り欠き５０が形成されている。また、第２部材３０には、固定位置で有頭ねじ１０の頭部を囲む壁部４０が設けられており、壁部の開放端側端部４２は、有頭ねじ１０の頭部１４よりも小径で、凹部１６よりも大径となるように縮径されている。【選択図】図２
2008153287.tif 000002
【特許請求の範囲】
【請求項１】
高周波機器を出し入れするための開口部が形成されたケース本体と、
該ケース本体の開口部を閉塞する蓋体と、
を備えると共に、
前記蓋体を前記ケース本体に固定する固定具として、
外周にねじ山が形成されたねじ部と該ねじ部よりも大径の頭部とからなり、該頭部に、特定形状の工具の先端を嵌合可能な凹部が形成された有頭ねじと、
該有頭ねじのねじ部を螺合可能なねじ孔が穿設された第１部材と、
前記有頭ねじのねじ部を挿通可能で前記頭部よりも小径の挿通孔が形成された第２部材と、
を有し、前記第１部材と前記第２部材とが、前記ねじ孔と前記挿通孔とが略同心軸上に位置するように、前記ケース本体及び前記蓋体の一方にそれぞれ設けられることにより、前記有頭ねじにて前記蓋体を前記ケース本体に固定可能な固定具、
を備えた高周波機器収納ケースであって、
前記固定具の第２部材に、
前記有頭ねじのねじ部を挿通孔に挿通し、その先端を前記第１部材のねじ孔に螺合した状態で、前記有頭ねじの頭部を囲み、しかも、第２部材から離れた開放端側が、前記有頭ねじの頭部よりも小径で且つ前記凹部よりも大径となるように縮径された壁部を突設したことを特徴とする高周波機器収納ケース。
【請求項２】
前記第１部材は、前記ねじ孔の中心軸方向に長い長尺形状に形成され、前記ケース本体又は前記蓋体に対して揺動可能に取り付けられており、
前記壁部を含む前記第２部材の挿通孔周囲には、前記第１部材に有頭ねじを螺合した状態で該有頭ねじを前記第１部材の揺動方向に変位させる切り欠きが形成されていることを特徴とする請求項１に記載の高周波機器収納ケース。
【発明の詳細な説明】
【技術分野】
【０００１】
本発明は、高周波信号を処理する電子機器である高周波機器を収納するための高周波機器収納ケースに関する。
【背景技術】
【０００２】
従来、高周波機器の収納ケースは、ケース内に高周波機器を収納した状態で、高周波機器の点検／修理等を行う必要があるため、開口部が形成されたケース本体と、このケース本体の開口部を閉塞するための蓋体（蓋、扉等）とから構成されている。
【０００３】
また、この蓋体にて開口部を自由に開閉できると、ケース内の高周波機器がいたずらされることがあるので、従来の高周波機器収納ケースは、通常、一般に市販されているボルトを使って、ケース本体の開口部を閉塞した状態で蓋体を開口部に締め付け固定できるようにされている（例えば、特許文献１等、参照）。
【特許文献１】特開平２−９１９９４号公報
【発明の開示】
【発明が解決しようとする課題】
【０００４】
しかしながら、従来の高周波機器収納ケースにおいて、ケース本体に蓋体をボルトで固定した場合、一般に市販されている工具を使って開口部を開くことができるため、高周波機器をいたずら等から確実に保護することはできないという問題があった。
【０００５】
また、いたずら等によりボルトが回され、ボルトの締め付けトルクが規定トルクから低下すると、蓋体による高周波機器収納ケースのシールド性能や防水性能が低下するため、高周波機器が正常に動作できなくなるという問題もあった。
【０００６】
一方、近年では、頭部形状が特殊で、その形状に対応した専用の工具でないと回すことのできない特殊ねじが種々開発されている。このため、高周波機器収納ケースにおいて、この種の特殊ねじを使って、収納ケースの蓋体をケース本体に固定することも考えられる。
【０００７】
そして、このようにすれば、高周波機器を保守／点検する作業者は、特殊ねじに対応した工具を所持するだけでよく、高周波機器の保守／点検を効率よく行うことができる。
しかしながら、高周波機器収納ケースの蓋体を、単に特殊ねじにて固定するようにしただけでは、特殊ねじに対応した工具がなくても、ねじの頭部をペンチ等で挟むことで、ねじを回転操作できることがあり、セキュリティ性を充分確保することはできない。
【０００８】
本発明は、こうした問題に鑑みなされたものであり、ケース本体の開口部を蓋体にて閉塞するように構成された高周波機器収納ケースにおいて、開口部がいたずらなどで不正に開かれるのをより確実に防止できるようにすることを目的とする。
【課題を解決するための手段】
【０００９】
かかる目的を達成するためになされた請求項１に記載の発明は、
高周波機器を出し入れするための開口部が形成されたケース本体と、
該ケース本体の開口部を閉塞する蓋体と、
を備えると共に、
前記蓋体を前記ケース本体に固定する固定具として、
外周にねじ山が形成されたねじ部と該ねじ部よりも大径の頭部とからなり、該頭部に、特定形状の工具の先端を嵌合可能な凹部が形成された有頭ねじと、
該有頭ねじのねじ部を螺合可能なねじ孔が穿設された第１部材と、
前記有頭ねじのねじ部を挿通可能で前記頭部よりも小径の挿通孔が形成された第２部材と、
を有し、前記第１部材と前記第２部材とが、前記ねじ孔と前記挿通孔とが略同心軸上に位置するように、前記ケース本体及び前記蓋体の一方にそれぞれ設けられることにより、前記有頭ねじにて前記蓋体を前記ケース本体に固定可能な固定具、
を備えた高周波機器収納ケースであって、
前記固定具の第２部材に、
前記有頭ねじのねじ部を挿通孔に挿通し、その先端を前記第１部材のねじ孔に螺合した状態で、前記有頭ねじの頭部を囲み、しかも、第２部材から離れた開放端側が、前記有頭ねじの頭部よりも小径で且つ前記凹部よりも大径となるように縮径された壁部を突設したことを特徴とする。
【００１０】
また、請求項２に記載の発明は、請求項１に記載の高周波機器収納ケースにおいて、
前記第１部材は、前記ねじ孔の中心軸方向に長い長尺形状に形成され、前記ケース本体又は前記蓋体に対して揺動可能に取り付けられており、
前記壁部を含む前記第２部材の挿通孔周囲には、前記第１部材に有頭ねじを螺合した状態で該有頭ねじを前記第１部材の揺動方向に変位させる切り欠きが形成されていることを特徴とする。
【発明の効果】
【００１１】
請求項１に記載の高周波機器収納ケースによれば、有頭ねじの頭部が壁部により囲まれ、しかも、壁部の開放端側は、有頭ねじの頭部よりも小径で且つ頭部に形成された凹部よりも大径となるように縮径されている。
【００１２】
このため、有頭ねじは、先端が頭部の凹部に嵌合可能な特定形状に形成された工具を利用して回動させることはできるものの、頭部をペンチ等で挟んで回転させることはできない。
【００１３】
従って、本発明によれば、有頭ねじの凹部の形状を、一般的なドライバの先端形状（＋、−、六角等）とは異なる特殊形状にしておけば、その形状に対応した特殊ドライバでしか有頭ねじを回すことができなくなり、セキュリティ性の高い高周波機器収納ケースを実現できることになる。
【００１４】
また、有頭ねじを第１部材から外す方向に回転させると、頭部が第１部材から設定量だけ離れた位置で、頭部が壁部の縮径部分に当接される。
よって、本発明によれば、有頭ねじの不正操作を防止できるだけでなく、正規の工具で有頭ねじによる第２部材の締め付けをゆるめて、蓋体のケース本体への固定を解除する際に、有頭ねじが壁部の開放端（換言すれば工具の挿入孔）から抜け落ちるのを防止することができる。
【００１５】
なお、本発明の高周波機器収納ケースにおいて、有頭ねじの頭部が壁部の縮径部分に当接される位置では、有頭ねじが第１部材のねじ孔から外れるようにしておけば、有頭ねじを第２部材に装着した状態で、ケース本体から蓋体を取り外すことができるようになるが、ケース本体から蓋体を取り外すことができるようにするには、必ずしもこのように構成する必要はなく、第１部材及び第２部材を請求項２に記載のように構成してもよい。
【００１６】
つまり、請求項２に記載の高周波機器収納ケースによれば、第１部材が、取り付け対象となるケース本体又は前記蓋体に対して揺動可能に取り付けられており、第２部材の挿通孔周囲には有頭ねじを第１部材の揺動方向に変位させることができるように、切り欠きが形成されている。
【００１７】
従って、この請求項２に記載の高周波機器収納ケースにおいては、有頭ねじによる第２部材の締め付けをゆるめて、第１部材を回動させれば、有頭ねじを第１部材に螺合させた状態で有頭ねじを第２部材から外し、蓋体をケース本体から取り外すことができるようになる。
【発明を実施するための最良の形態】
【００１８】
以下に本発明の実施形態を図面と共に説明する。
図１は、本発明が適用された実施形態の高周波機器収納ケース２（以下、単に収納ケースともいう）全体の構成を表す構成図であり、（ａ）は収納ケース２の正面図、（ｂ）は収納ケース２の右側面図、（ｃ）は収納ケース２の底面図である。
【００１９】
本実施形態の収納ケース２は、例えば、裏面に設けられた取り付け金具３を介して電柱等に取り付けられ、受信アンテナにて受信されたテレビ放送信号等の高周波信号を処理（増幅、周波数変換等）する高周波機器を収納するためのものであり、矩形の箱状で前面が開口部として開放されたケース本体４と、このケース本体４の前面を覆い、開口部を閉塞する蓋体６とを備える。
【００２０】
これら各部４、６は、電磁波を遮蔽可能な金属板を加工することにより形成されており、ケース本体４の開口部には、内部を密閉して雨水の浸入を防止するためのゴム性のシール材が設けられている。
【００２１】
また、蓋体６は、ケース本体４の開口部の一辺にヒンジ５を介して開閉可能に取り付けられており、ケース本体４の開口部を閉塞した際には、ケース本体４の開口部との間でシール材を挟み、当該収納ケース２を防水ケースとして機能させる。
【００２２】
そして、収納ケース２には、ケース本体４の開口部を蓋体６で閉塞した際、シールド性及び防水性を確保するために、蓋体６をケース本体４に締め付け固定する固定具８が設けられている。
【００２３】
この固定具８は、ケース本体４の開口部周縁の複数箇所（本実施形態では７カ所）に設けられており、図２に示す如く構成されている。
なお、図２は、固定具８の全体構成を表す説明図であり、（ａ）はケース本体４及び蓋体６に取り付けられた固定具８を横方向から見た状態を表す固定具８の側面図であり、（ｂ）は（ａ）からケース本体４及び蓋体６を除去した状態で固定具８を上方から見た状態を表す平面図であり、（ｃ）は固定具８を（ｂ）の左方向から見た状態を表す側面図であり、（ｄ）は（ｂ）に示すＡ−Ａ線断面図である。
【００２４】
図２に示すように、固定具８は、ケース本体４の開口部外側壁面に固定された第１部材２０と、蓋体６に固定された第２部材３０と、これら両部材２０、３０を連結して蓋体６をケース本体４に締め付け固定するための有頭ねじ１０とを備える。
【００２５】
ここで、有頭ねじ１０は、外周にねじ山が形成されたねじ部１２と、ねじ部１２よりも大径の頭部１４とからなり、頭部１４に、当該有頭ねじ専用の工具（特殊工具）の先端を嵌合可能な凹部１６を形成したものである。
【００２６】
次に、第１部材２０は、有頭ねじ１０のねじ部１２を螺合可能で、しかも、内部にねじ部１２を収納可能な長さのねじ孔２２が穿設された棒状部材にて構成されている。そして、この第１部材２０のねじ孔２２が穿設された側とは反対側端部は、ケース本体４の外壁に溶接等で固定される固定部２４から突設された一対の支持板２６に、支持軸２８を介して揺動自在に固定されている。
【００２７】
一方、第２部材３０は、蓋体６の外壁に溶接等で固定される固定部３４から突設された一対の支持枠３６に固定されており、有頭ねじ１０のねじ部１２を挿通可能で、有頭ねじ１０の頭部１４よりも小径の挿通孔３２が形成されている。
【００２８】
また、第２部材３０には、第１部材２０に有頭ねじ１０を螺合した状態で、第１部材２０を、支持軸２８を中心に揺動させて、ケース本体４の外壁に略平行となるように立設させた際に、有頭ねじ１０のねじ部１２を挿通孔３２まで案内できるように、挿通孔３２から蓋体６とは反対側（つまり外側）に向けて切り欠き５０が形成されている。
【００２９】
なお、第１部材２０と第２部材３０とは、蓋体６を閉じてケース本体４の開口部を閉塞させた際に、ねじ孔２２と挿通孔３２とが略同心軸上に位置するように、ケース本体４及び蓋体６にそれぞれ固定されている。
【００３０】
また、有頭ねじ１０の頭部１４が配置される第２部材３０の上面には、その有頭ねじ１０の頭部１４を囲むように壁部４０が設けられている。なお、この壁部４０は、挿通孔３２と同様に、蓋体６とは反対側（つまり外側）に向けて切り欠かれている。
【００３１】
このため、第１部材２０に有頭ねじ１０を螺合した状態で、第１部材２０を、支持軸２８を中心に揺動させて、ケース本体４の外壁に略平行となるように立設させると、有頭ねじ１０の頭部１４が、壁部４０の内側に収納されることになる。
【００３２】
また、壁部４０は、第２部材３０の上面から離れるほど径が小さくなるように傾斜して形成されており、更に、その開放端側端部４２は、有頭ねじ１０の頭部１４よりも小径で、頭部１４に形成された凹部１６よりも大径となるように縮径されている。
【００３３】
また、壁部４０の開放端側端部４２までの高さは、有頭ねじ１０を締め付け方向とは反対方向に回動させた際に、ねじ部１２が第１部材２０のねじ孔２２から外れてしまうことのないよう、ねじ部１２の長さよりも短くなるように設定されている。
【００３４】
以上のように、本実施形態の収納ケース２によれば、蓋体６をケース本体４に固定するための固定具８が、ケース本体４に固定された第１部材２０と蓋体６に固定された第２部材３０と、これら各部を連結する有頭ねじ１０とから構成され、有頭ねじ１０のねじ部１２を第２部材３０の挿通孔３２に挿通した状態で有頭ねじ１０を第１部材２０のねじ孔２２に向けて締め付ければ、蓋体６をケース本体４にしっかりと固定し、収納ケース２のシールド性及び防水性を確保することができる。
【００３５】
そして、有頭ねじ１０の頭部１４には、有頭ねじ１０専用の特殊工具を嵌合可能な凹部１６が形成されており、しかも、第２部材３０には、有頭ねじ１０の頭部１４を囲む壁部４０が突設されていることから、有頭ねじ１０にて蓋体６をケース本体４に固定した状態では、有頭ねじ１０は、専用の特殊工具でしか回すことができなくなり、本実施形態の収納ケース２は、極めてセキュリティ性の高い収納ケースとなり得る。
【００３６】
また、第１部材２０は、ケース本体４の外壁に突設された一対の支持板２６と支持軸２８とを介して、ケース本体４に揺動可能に取り付けられており、壁部４０を含む第２部材３０には、第１部材２０に有頭ねじ１０を螺合した状態で第１部材２０を揺動させて、有頭ねじ１０を固定位置まで変位させるための切り欠き５０が形成されている。また、壁部４０の第２部材３０から離れた開放端側端部４２は、有頭ねじ１０の頭部１４よりも小径で、頭部１４に形成された凹部１６よりも大径となるように縮径されている。
【００３７】
このため、壁部４０の開放端側から工具を挿入して有頭ねじ１０による第２部材３０の締め付けをゆるめ、蓋体６のケース本体４への固定を解除する際に、有頭ねじ１０が壁部４０の開放端（換言すれば工具の挿入孔）から抜け落ちるのを防止することができ、しかも、蓋体６をケース本体４の開口部から開くために、第１部材２０と第２部材３０との係合を解除する際には、有頭ねじ１０を第１部材２０に螺合させた状態で、第１部材２０をケース本体４の外側に揺動させればよく、これらの作業によって有頭ねじ１０が紛失するのを防止できる。
【００３８】
以上、本発明の一実施形態について説明したが、本発明は上記実施形態に限定されるものではなく、種々の態様を採ることができる。
例えば、上記実施形態では、有頭ねじ１０をねじ孔２２に螺合した状態で第１部材２０を揺動させて、有頭ねじ１０の頭部１４を固定位置に配置できるように、第２部材３０に、挿通孔３２から外側に延びる切り欠き５０を形成し、壁部４０も、この切り欠き５０に合わせて切り欠くものとして説明したが、これらの切り欠きは必ずしも形成する必要はなく、有頭ねじ１０の頭部１４を第２部材３０の上面と壁部４０とで囲まれる空間内に収納するようにしてもよい。
【００３９】
但し、この場合には、有頭ねじ１０を締め付け方向とは反対方向に回動させて、有頭ねじ１０の頭部１４が壁部４０の開放端側端部４２に当接する迄の間に、ねじ部１２が第１部材２０のねじ孔２２から外れるように、ねじ部１２の長さを設定する必要がある。つまり、このようにすれば、有頭ねじ１０を第２部材３０に装着した状態で、第１部材２０と第２部材３０との係合を解除して、蓋体６をケース本体４の開口部から開くことができるようになる。
【００４０】
また、この場合、第１部材２０は、ケース本体４に揺動自在に固定する必要はなく、ケース本体４に蓋体６を被せた際に、有頭ねじ１０を螺合できるように、ケース本体４に固定（又は形成）すればよい。
【図面の簡単な説明】
【００４１】
【図１】実施形態の高周波機器収納ケースの構成を表す説明図である。
【図２】固定具の構成を表す説明図である。
【符号の説明】
【００４２】
２…高周波機器収納ケース、３…取り付け金具、４…ケース本体、５…ヒンジ、６…蓋体、８…固定具、１０…有頭ねじ、１２…ねじ部、１４…頭部、１６…凹部、２０…第１部材、２２…ねじ孔、２４…固定部、２６…支持板、２８…支持軸、３０…第２部材、３２…挿通孔、３４…固定部、３６…支持枠、４０…壁部、４２…開放端側端部、５０…切り欠き。
【図１】
2008153287.tif 000003
【図２】
2008153287.tif 000004